(57)【要約】【課題】従来、大量の静止画を記録したときに、それを再生する方法、特に自動再生であって、表示の順序や表示時間を自由に設定する場合に、個々の静止画で独立した時間情報を記録するとＭＰＥＧデコーダのＰＴＳ同期が複雑になってしまうという問題があった。【解決手段】本発明では、各静止画データ内に記録されたＰＴＳをプレイリストに対応した時間とすることにより、ＭＰＥＧデコーダを煩雑な処理を行わず標準的な再生により、プレイリストに従った順序で、表示時間を設定した自動再生が可能となる。【選択図】  図１
2004282411.tif 000002
【特許請求の範囲】
【請求項１】
記録媒体上に静止画を記録する静止画記録方式であって、
複数の静止画を連続して記録した静止画ストリームファイルと、静止画の再生順序を指定するプレイリストファイルとを有し、上記プレイリストファイル中の静止画表示開始時刻と表示終了時刻を所望の表示時刻に設定すると共に、上記静止画ストリームファイルの各静止画データには表示開始時刻を含み、上記で設定した静止画の表示時刻に応じて静止画の表示開始時刻を対応させて記録することを特徴とする静止画記録方法。
【請求項２】
静止画が記録された記録媒体であって、
複数の静止画を連続して記録した静止画ストリームファイルと、静止画の再生順序を指定するプレイリストファイルとを有し、上記プレイリストファイル中の静止画表示開始時刻と表示終了時刻を所望の表示時刻に設定すると共に、上記静止画ストリームファイルの各静止画データには表示開始時刻を含み、上記で設定した静止画の表示時刻に応じて静止画の表示開始時刻を対応させて記録することを特徴とする記録媒体。
【請求項３】
複数の静止画を再生する静止画再生方法であり、
前記複数の静止画は所定の順序で、所定の期間表示される静止画再生方法において、前記複数の静止画を表示する順序を示した表示順序情報と、各静止画に対して表示期間を設定する表示期間情報と、各静止画には、表示順序と表示期間に対応した表示時間情報が含まれており、前記表示時間情報に同期して静止画データを表示することを特徴とする静止画再生方法。
【請求項４】
請求項３において、前記表示時間情報は、複数の静止画を所定の順序に従って、所定の期間表示した時の累積の時間が含まれており、各静止画データに含まれた前記累積時間に合わせて各静止画を表示するようにしたことを特徴とする静止画再生方法。
【発明の詳細な説明】
【０００１】
【発明の属する技術分野】
本発明は、光ディスクやメモリカードなどの媒体上に、静止画データ再生順番、及び再生表示時間を制御に必要な、媒体上でのデータ記録方法に関する。
【０００２】
【従来の技術】
従来、映像データを記録する記録媒体としては、磁気テープが主であったが、近年、ＤＶＤに見られるように光ディスクの大容量化と、ＡＶ用／ＰＣ用、ともに対応した規格策定により、映像や音声のデータが光ディスクに記録再生されるようになった。映像データとしては、ＩＳＯ／ＩＥＣ１１１７２規格やＩＳＯ／  ＩＥＣ１３８１８規格等に記載されている動画データをＭＰＥＧ（Ｍｏｖｉｎｇ  Ｐｉｃｔｕｒｅ  Ｅｘｐｅｒｔｓ  Ｇｒｏｕｐ）方式などにより符号化されたデータ一般的に用いられている。静止画データとしては、ＭＰＥＧ方式のフレーム内符号化データ（Ｉピクチャ）や、ＩＳＯ／ＩＥＣ１０９１８−１規格に記載されているＪＰＥＧ方式により符号化されたデータが一般的に用いられている。
【０００３】
光ディスクの場合は、磁気テープとは異なり、ランダムアクセス性が特徴であり、記録したデータを記録した順序とは異なる順序にアクセスして、見かけ上、連続的に再生することが可能である。また、光ディスクの大容量化により、記録できる映像データの量も増加し、特に静止画の場合には、大量の枚数の画像を記録できる。しかしその反面、記録に関する情報や再生制御の情報も増えてしまうため、ＤＶＤでは特許文献１のような工夫がなされている。
【０００４】
【特許文献１】
特開２０００−１３４５６５号公報（図１、３、８）
【０００５】
【発明が解決しようとする課題】
しかしながら、従来、大量の静止画を記録したときに、個々の静止画で独立した時間情報を記録するとＭＰＥＧデコーダのＰＴＳ同期が複雑になってしまうという点について考慮されていない。また複数の静止画を連続に再生する方法、特に自動再生であって、表示の順序や表示時間を自由に設定する方法については考慮されていない。
【０００６】
【課題を解決するための手段】
そのために本発明では、記録媒体上に静止画を記録する静止画記録方式であって、複数の静止画を連続して記録した静止画ストリームファイルと、静止画の再生順序を指定するプレイリストファイルとを有し、上記プレイリストファイル中の静止画表示開始時刻と表示終了時刻を所望の表示時刻に設定すると共に、上記静止画ストリームファイルの各静止画データには表示開始時刻を含み、上記で設定した静止画の表示時刻に応じて静止画の表示開始時刻を対応させて記録することようにした。
【０００７】
【発明の実施の形態】
以下、本発明による記録方式の実施の形態について、図を参照して説明する。
【０００８】
図２は、本発明の一実施例である指定した静止画を自動的に連続再生するためのプレイリストによる再生方法について示したものである。
【０００９】
ＭＰＥＧ方式のフレーム内符号化データ（Ｉピクチャ）を静止画データとして連続再生する時に、ディスク上には、ｃｌｉｐ（静止画ストリームファイル）２０３として記録された静止画データ（Ｓｔｉｌｌｐｉｃｔｕｒｅ）が複数、記録されており、これらをユーザが決めた任意の順で再生する場合を考える。
【００１０】
各静止画データはＳｔｉｌｌｐｉｃｔｕｒｅ  Ａ  ２１１、Ｓｔｉｌｌｐｉｃｔｕｒｅ  Ｂ  ２１２、Ｓｔｉｌｌｐｉｃｔｕｒｅ  Ｃ  ２１３の順に再生を行うように設定される。これらの各静止画データには再生出力時刻管理情報ＰＴＳ（Ｐｒｅｓｅｎｔ  Ｔｉｍｅ  Ｓｔａｍｐ）が含まれている。ＰＴＳはエンコード時には、通常のデコードタイミングに合わせて１／３０秒ずつ増加する値が書き込まれている。
【００１１】
プレイリストのファイルには、複数のＰｌａｙＩｔｅｍが含まれており、順番に再生される。ここではそのうちの一つのＰｌａｙＩｔｅｍ  ２０１を例とするがＰｌａｙＩｔｅｍは複数あっても構わない。例えば、図３は複数のＰｌａｙＩｔｅｍ（１）〜（ｎ）までを表示する場合のＰｌｙＬｉｓｔの構成を示したものである。図２中ＰｌａｙＩｔｅｍ  ２０１には、再生する静止画データのストリーム上の再生開始時刻がＩＮ＿ｔｉｍｅ  ２０４として書かれており、それに対応した再生終了時刻ＯＵＴ＿ｔｉｍｅ  ２０５が書かれている。例えばＳｔｉｌｌｐｉｃｔｕｒｅ  Ａ  ２１１を５秒間表示する場合には、通常はＩＮ＿ｔｉｍｅ  ２０４：０秒、ＯＵＴ＿ｔｉｍｅ  ２０５：５秒となっている。ＥＰ＿ｍａｐ  ２０２は、ＩＮ＿ｔｉｍｅ  ２０４に書かれている時刻情報に対してディスク上のパケット番号ｓｐｎ（Ｓｏｕｒｃｅ  Ｐａｃｋｅｔ  Ｎｏ．）を変換する変換テーブルであり、各ｓｐｎ  ２０６〜２１０は各々に対応したＳｔｉｌｌｐｉｃｔｕｒｅのディスク上での開始セクター番号を指定する。これにより、ＰｌａｙＩｔｅｍ  ２０１のＩＮ＿ｔｉｍｅ  ２０４に書かれた時刻情報に従って、ｓｐｎに変換し、静止画データを再生することができる。ここで、Ｓｔｉｌｌｐｉｃｔｕｒｅ  Ａ  ２１１に書かれたＰＴＳは通常はデコードタイミングを示す値であるのに対して、自動再生での連続した表示時間に合わせて書き換えて記録する。また、それに合わせて、ＩＮ＿ｔｉｍｅ  ２０４に書かれている時刻情報も同様に連続した表示時間に合わせて書き換える。次に、その表示時間に合せた時刻情報の値について説明する。
【００１２】
図１は本発明の一実施例である静止画を所定の時間で表示しながら自動的に連続再生するためのＰｌａｙＩｔｅｍのデータ読出しと時間の流れを説明する。ＭＰＥＧでは、システム基準復号器の内部ＳＴＣ（Ｓｙｓｔｅｍ  Ｔｉｍｅ  Ｃｌｏｃｋ）がＰＴＳに同期した時に再生データを出力する。そのため、指定した静止画データを再生するためにＩＮ＿ｔｉｍｅに含まれた時刻情報からｓｐｎに変換し、ディスク上にアクセスして静止画データを読出し、デコードして出力する。このときデコードされたデータは、システムの時刻に同期して出力するため、Ｓｔｉｌｌｐｉｃｔｕｒｅ  に含まれるＰＳＴは、表示時間に合せた時間がかかれている必要がる。例えばｃｌｉｐ  １０４の静止画データを読み出す時に、１０１に書かれたＩＮ＿ｔｉｍｅ（１）とＯＵＴ＿ｔｉｍｅ（１）の各時刻情報からＥＰ＿ｍａｐ  を用いてＳｔｉｌｌｐｉｃｔｕｒｅ  Ａ  １０５  の開始・終了位置をｓｐｎとして求め、Ｓｔｉｌｌｐｉｃｔｕｒｅ  Ａ  １０５  を表示する。ここで、ＩＮ＿ｔｉｍｅには０秒、ＯＵＴ＿ｔｉｍｅには５秒が書かれているので、Ｓｔｉｌｌｐｉｃｔｕｒｅ  Ａ  １０５  を５秒間表示する。同様にＩＮ＿ｔｉｍｅ（２）１０２に書かれたＩＮ＿ｔｉｍｅ，  ＯＵＴ＿ｔｉｍｅによりＳｔｉｌｌｐｉｃｔｕｒｅ  Ｂ  １０６を１０秒表示し、ＩＮ＿ｔｉｍｅ（３）１０３に書かれたＩＮ＿ｔｉｍｅ，  ＯＵＴ＿ｔｉｍｅによりＳｔｉｌｌｐｉｃｔｕｒｅ  Ｃ  １０７を３秒表示する。この時、各ＩＮ＿ｔｉｍｅ（１）、（２）、（３）に含書かれた時刻情報は０、５、１５秒となる。これにより、まずＳｔｉｌｌｐｉｃｔｕｒｅ  Ａ  １０５をデコードしてスタートの０秒に同期して出力し、５秒間（Ｄｕｒａｔｉｏｎ（１））は同じＳｔｉｌｌｐｉｃｔｕｒｅ  Ａ  １０５を静止画像として表示し、その間に次のＳｔｉｌｌｐｉｃｔｕｒｅ  Ｂ  １０６をデコードし、ＰＴＳ  ５秒に同期して出力し、１０秒間（Ｄｕｒａｔｉｏｎ（２））は同じＳｔｉｌｌｐｉｃｔｕｒｅ  Ｂ  １０６を静止画像として表示し、その間に次のＳｔｉｌｌｐｉｃｔｕｒｅ  Ｃ  １０７をデコードし、ＰＴＳ  １５秒に同期して出力する。よって、各Ｓｔｉｌｌｐｉｃｔｕｒｅ  Ａ〜Ｃ内のＰＴＳと、各ＩＮ＿ｔｉｍｅ（１）〜（３）に書かれたＰＴＳを表示時間に合せた新たなＰＴＳとして書き換える。これによりデコーダは、表示時間に合わせて静止画データを出力することが可能になる。
【００１３】
図１の下部に示したグラフは、静止画データ読み取り（横軸）に対する表示時間（縦軸）の推移を示したものである。ＰＴＳ（１）〜（３）は表示時間に合せて書き換えられているため、デコーダは、表示時間に合わせて静止画データを出力できる。仮に、ＰＴＳが書き換えられていなければ、表示時間がＰＴＳの時間を追い越してしまうため、デコーダが正しくＰＴＳに同期して静止画データを出力することができない。
【００１４】
図４は先に示した本発明を実現する記録再生システムの構成例を示したものである。
記録再生システムは、専用ハードウェアとして構成してもよいし、パーソナルコンピュータなどの汎用的なハードウェアを後述するプログラムによって制御するように構成してもよい。どちらの場合も、システム制御部４０９は、システム全体の制御を行う。まず操作部４１０にてユーザからの動作指示を受けたのち、システム制御部４０９から後述する各部への動作制御が行われる。記録時には、入力部４０１から画像や音声などの信号が入力され、エンコーダ４０２にてＭＰＥＧ方式などの符号化を行う。動画、静止画、音声などの符号化データは、トラックバッファ４０３を介してドライブ４０４に入力され、記録媒体４０５上に記録する。符号化データをリアルタイムで記録している期間は、ＰＴＳを書き換えることが困難なため、表示制御用メモリ４０６を用いて、静止画データに書かれているＰＴＳを書き換えて、符号化データ記録終了後に記録媒体４０５上に記録するように制御する。一方、再生時には、ドライブ４０４によって記録媒体４０５から静止画データを読み出したのち、その情報に基づいて符号化データを読み出してトラックバッファ４０３に入力する。トラックバッファ４０３からの符号化データは、デコーダ４０７により復号化し、出力部４０８から出力する。
【００１５】
図５は、本記録方式によるデータを光ディスク上に記録した時のデータの配置例を示したものである。５０１は光ディスクであり、５０２は静止画ストリームファイル、５０３はプレイリストファイルである。光ディスク５０１上に、スパイラル状あるいは同心円状に設けられたトラックにファイルが記録データとして記録されている。ディスク上での記録データは、先に示した静止画ストリームファイル５０２、プレイリストファイル５０３等が記録されている。光ディスクでは凹凸ピットあるいは相変化材料等による濃淡のドット等でデータが記録されている。このように、静止画ストリームファイルは連続的したデータとしてディスク上に記録されており、（図示しない）光学ピックアップで連続したデータとして読み出される。
【００１６】
【発明の効果】
このように、本発明によれば、静止画データを記録媒体上に複数記録し、各静止画を順序を指定して、任意の時間で表示させながら、自動的に再生を行うことができる。またデコードのために用いられているＭＰＥＧデコーダの処理を煩雑にすることなく、通常のＰＴＳに同期させた再生として処理を行うことができる。
【００１７】
本実施例では、記録媒体の例として光ディスクを用いて示したが、これに限定されるものではなくランダムアクセスに有利な記録媒体であれば特に限定はしない。また、ＰｌａｙＬｉｓｔを一つの例として説明したが、これも、複数あってもよく、ユーザが操作部から選択するなどの方法により、ＰｌａｙＬｉｓｔを選択することも可能である。
【図面の簡単な説明】
【図１】本発明の一実施例である静止画を所定の時間で表示しながら自動的に連続再生するためのＰｌａｙＩｔｅｍのデータ読出しと時間の流れを説明図である。
【図２】本発明の一実施例である指定した静止画を自動的に連続再生するためのプレイリストによる再生方法の図である。
【図３】複数のＰｌａｙＩｔｅｍ（１）〜（ｎ）までを表示する場合のＰｌｙＬｉｓｔの構成図である。
【図４】本発明を実現する記録再生システムの構成図である。
【図５】本記録方式によるデータを光ディスク上に記録した時のデータの配置図である。
【符号の説明】
１０１…ＩＮ＿ｔｉｍｅ（１）、１０２…ＩＮ＿ｔｉｍｅ（２）、１０３…ＩＮ＿ｔｉｍｅ（３）、１０４…ｃｌｉｐ  静止画ストリームファイル、１０５…Ｓｔｉｌｌｐｉｃｔｕｒｅ（静止画データ）  Ａ、１０６…Ｓｔｉｌｌｐｉｃｔｕｒｅ（静止画データ）  Ｂ、１０７…Ｓｔｉｌｌｐｉｃｔｕｒｅ（静止画データ）  Ｃ。
【図１】
2004282411.tif 000003
【図２】
2004282411.tif 000004
【図３】
2004282411.tif 000005
【図４】
2004282411.tif 000006
【図５】
2004282411.tif 000007